(57)【要約】【課題】本体ケースの形状や材質に関係なく、封口蓋を本体ケースに容易に強く固着するとともに、封口蓋の固着により本体ケースが変形するのを防止する。【解決手段】電気部品１は、開口２１を有する本体ケース２と、この本体ケース２内に充填されたウレタン製樹脂３と、開口２１を覆い本体ケース２内を密封状態にする封口蓋４とから構成されている。この封口蓋４には、開口２１を覆った状態で本体ケース２内に向けてその表面４１から垂直に突出する突出部４２が設けられている。【選択図】図１
2004014790.tif 000002
【特許請求の範囲】
【請求項１】
開口を有する本体ケース内に搭載された電気部品素子を封止するための樹脂が、開口から本体ケース内に充填され、開口が封口蓋で覆われることにより、本体ケース内が密封状態になる電気部品の封口構造において、
前記封口蓋には、前記開口を覆った状態で封口蓋から本体ケース内に向けて突出する突出部が設けられ、この突起部が充填された前記樹脂に固着されることで封口蓋が本体ケースに固着されることを特徴とする電気部品の封口構造。
【請求項２】
前記突出部は、突出方向に螺旋が形成されてなることを特徴とする請求項１に記載の電気部品の封口構造。
【請求項３】
前記突出部は、その突出側端部が円錐台形に形成されてなることを特徴とする請求項１に記載の電気部品の封口構造。
【請求項４】
前記突出部は、板状体からなることを特徴とする請求項１に記載の電気部品の封口構造。
【請求項５】
前記突出部は、その突出側端部に突出方向と角度を有して端部片が形成されてなることを特徴とする請求項１に記載の電気部品の封口構造。
【請求項６】
前記突出部は板状体からなり、前記端部片に少なくとも１個以上の切り欠き部が形成されたことを特徴とする請求項５に記載の電気部品の封口構造。
【発明の詳細な説明】
【０００１】
【発明の属する技術分野】
本発明は、本体ケース内が密封状態になる電気部品の封口構造に関する。
【０００２】
【従来の技術】
抵抗器やコンデンサなどの電気部品は、耐湿、耐絶縁、機械的強度の強化などのために電気部品素子の外面を樹脂により覆う。この電気部品に図９に示す電気部品がある。
【０００３】
この電気部品９は、電気部品素子（図示省略）を備えた本体ケース９１の開口９２から樹脂９３が充填され、開口９２が封口蓋９４で覆われてなり、本体ケース９１内を密封状態にするものである。この電気部品９で用いられる封口蓋９４には、爪状からなる突出部９５が設けられている。この突出部９５は、開口９２を覆うときに本体ケース９１内に挿入されるとともに、開口９２の内側縁部９６に引っ掛けられて本体ケース９１に固着される。
【０００４】
【発明が解決しようとする課題】
ところで、この電気部品９では、開口９２の内側縁部９６に封口蓋９４の突出部９５を引っ掛けるスペースが少ない場合、突出部９５を固着する強度が弱まる。そのため、突出部９５が本体ケース９１から外れ易くなり、本体ケース９１内を密封状態にすることは難しい。また、本体ケース９１の材質強度が弱い場合、突出部９５を開口９２の内側縁部９６に引っ掛ける際に本体ケース９１の割れやへこみが生じる。
【０００５】
そこで、上記課題を解決するために、本発明は、本体ケースの形状や材質に関係なく、封口蓋を本体ケースに容易に強く固着するとともに、封口蓋の固着により本体ケースが変形するのを防止する電気部品の封口構造を提供することを目的とする。
【０００６】
【課題を解決するための手段】
上記目的を達成するため本発明に係る電気部品の封口構造は、開口を有する本体ケース内に搭載された電気部品素子を封止するための樹脂が、開口から本体ケース内に充填され、開口が封口蓋で覆われることにより、本体ケース内が密封状態になる電気部品の封口構造において、前記封口蓋には、前記開口を覆った状態で封口蓋から本体ケース内に向けて突出する突出部が設けられ、この突起部が充填された前記樹脂に固着されることで封口蓋が本体ケースに固着されることを特徴とする。
【０００７】
この発明によれば、上記封口蓋に、上記開口を覆った状態で封口蓋から本体ケース内に向けて突出する突出部が設けられ、この突起部が充填された上記樹脂に固着されることで封口蓋が本体ケースに固着されるので、封口蓋で本体ケースの開口を覆うだけで封口蓋を本体ケースに容易に強く固着することが可能となり、また、封口蓋を本体ケースに直接固着しないので、封口蓋の固着により本体ケースが変形するのを防止することが可能となる。
【０００８】
具体的に、上記した構成において、上記突出部は、突出方向に螺旋が形成されてなっていてもよく、この場合、突出部の樹脂への固着が螺旋に形成された分、三次元的に強化され、突出部をより強く樹脂と固着することが可能となる。
【０００９】
また、上記突出部は、その突出側端部が円錐台形に形成されてなってもよく、この場合、突出部の樹脂への固着が円錐台に形成された分、三次元的に強化され、突出部をより強く樹脂と固着することが可能となる。
【００１０】
また、上記突出部が板状体からなってもよく、この場合、樹脂と固着する面積が大きくなり、固着する面積が拡大した分、突出部を樹脂とより強く固着することが可能となる。
【００１１】
また、上記突出部は、その突出側端部に突出方向と角度を有して端部片が形成されてなってもよく、この場合、突出部の樹脂への固着が、端部片を設けた分、三次元的に強化され、突出部を樹脂と固着するのにより好ましい。この端部片は、例えば、突出側端部が折曲げ形成されてなっていてもよい。
【００１２】
また、上記突出部は板状体からなり、端部片に少なくとも１個以上の切り欠き部が形成されてもよく、この場合、樹脂と固着する面積が大きくなり、固着する面積が拡大した分、突出部を樹脂とより強く固着するだけでなく、突出部の樹脂への固着が、切り欠き部を形成した分、三次元的に強化され、突出部を樹脂と固着するのにより好ましい。
【００１３】
【発明の実施の形態】
以下、本発明の各実施の形態について図面を参照して説明する。
＜実施の形態１＞
電気部品１は、図１（ａ）に示すように、開口２１を有する本体ケース２と、この本体ケース２内に充填されたウレタン製樹脂３と、開口２１を覆い本体ケース２内を密封状態にする封口蓋４とから構成されている。
【００１４】
本体ケース２には、電気部品素子（図示省略）が備えられ、この電気部品素子の外面が充填する樹脂３により覆われる。
【００１５】
封口蓋４には、図１（ｂ）に示すように、本体ケース２内に向けてその表面４１から垂直に突出する突出部４２が設けられている。この突出部４２は、円柱状体からなる。
【００１６】
この電気部品１の封口構造の封口方法を、図１（ａ）を用いて以下に詳説する。
【００１７】
本体ケース２の開口２１から本体ケース２内に樹脂３が充填される。充填された樹脂３が硬化する前に、封口蓋４により開口２１が覆われる。この時、封口蓋４に設けられた突出部４２が、充填された樹脂３内に挿入される。そして、突出部４２が挿入された樹脂３が硬化され、突出部４２が樹脂３に固着される。突出部４２が樹脂３に固着されることにより突出部４２が本体ケース２に間接的に固着されて、本体ケース２内が密封状態になる。
【００１８】
このように、上記した電気部品１によれば、封口蓋４に、開口２１を覆った状態で封口蓋４から本体ケース２内に向けてその表面４１から垂直に突出する突出部４２が設けられ、この突起部４２が充填された樹脂３に固着されることで封口蓋４が本体ケース２に固着されるので、封口蓋４で本体ケース２の開口２１を覆うだけで封口蓋４を本体ケース２に容易に強く固着することができる。また、封口蓋４を本体ケース２に直接固着しないので、封口蓋４の固着により本体ケース２が変形するのを防止することができる。
【００１９】
なお、本実施の形態１では、突出部４２を１個設けているが、これに限定されるものではなく、複数個設けてもよい。また、突出部４２は円柱状体からなっているが、これに限定されるものではなく、角柱状体からなってもよい。また、突出部４２は、封口蓋４の表面４１に対して垂直に突出しているが、開口２１を覆った時に封口蓋４から本体ケース２内に向けて突出していれば、その突出方向（Ａ方向）は限定されない。
【００２０】
次に、本発明にかかる電気部品１と同様の効果を有する他の形態の電気部品を、以下の実施の形態２〜８に示す。
＜実施の形態２＞
この実施の形態２にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００２１】
電気部品１は、図２（ａ）に示すように、開口２１を有する本体ケース２と、この本体ケース２内に充填された樹脂３と、開口２１を覆い本体ケース２内を密封状態にする封口蓋４とから構成されている。
【００２２】
封口蓋４には、図２（ｂ）に示すように、本体ケース２内に向けてその表面４１から垂直に突出する突出部４２が設けられている。この突出部４２には、突出方向（Ａ方向）に螺旋が形成されている。
【００２３】
このように、突出部４２に螺旋が形成されることで、突出部４２の樹脂３への固着が、螺旋に形成された分、三次元的に強化され、突出部４２をより強く樹脂３と固着することができる。
＜実施の形態３＞
この実施の形態３にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００２４】
電気部品１は、図３（ａ）に示すように、開口２１を有する本体ケース２と、この本体ケース２内に充填された樹脂３と、開口２１を覆い本体ケース２内を密封状態にする封口蓋４とから構成されている。
【００２５】
封口蓋４には、図３（ｂ）に示すように、本体ケース２内に向けてその表面４１から垂直に突出する突出部４２が設けられている。この突出部４２の突出側端部４２１は、円錐台形に形成されている。
【００２６】
このように、突出部４２の突出側端部４２１が円錐台形に形成されることで、突出部４２の樹脂３への固着が、円錐台に形成された分、三次元的に強化され、突出部４２をより強く樹脂３と固着することができる。
【００２７】
なお、本実施の形態３では、突出側端部４２１が円錐台形に形成されているが、これに限定されるものではなく、円錐形、角錐形や角錐台形に形成されていてもよい。
＜実施の形態４＞
この実施の形態４にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００２８】
電気部品１は、図４（ａ）に示すように、開口２１を有する本体ケース２と、この本体ケース２内に充填された樹脂３と、開口２１を覆い本体ケース２内を密封状態にする封口蓋４とから構成されている。
【００２９】
封口蓋４には、図４（ｂ）に示すように、本体ケース２内に向けてその表面４１から垂直に突出する突出部４２が設けられている。この突出部４２は、板状体からなっている。
【００３０】
このように突出部４２が板状体からなることで、樹脂３と固着する面積が大きくなり、固着する面積が拡大した分、突出部４２を樹脂３とより強く固着することができる。
＜実施の形態５＞
この実施の形態５にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００３１】
電気部品１は、図５（ａ）に示すように、開口２１を有する本体ケース２と、この本体ケース２内に充填された樹脂３と、開口２１を覆い本体ケース２内を密封状態にする封口蓋４とから構成されている。
【００３２】
封口蓋４には、図５（ｂ）に示すように、本体ケース２内に向けてその表面４１から垂直に突出する突出部４２が設けられている。この突出部４２は板状体からなり、その突出側端部４２１に突出方向（Ａ方向）に対して直角に折曲された端部片４２２が形成されている。
【００３３】
このように突出部４２が板状体からなることで、樹脂３と固着する面積が大きくなり、固着する面積が拡大した分、突出部４２を樹脂３とより強く固着することができる。さらに、突出部４２がＡ方向に対して直角に折曲されて端部片４２２が形成されているので、突出部４２の樹脂３への固着が、折曲げ形成された分、三次元的に強化され、突出部４２を樹脂３と固着するのにより好ましい。
【００３４】
なお、本実施の形態５では、突出側端部４２１がＡ方向に対して直角に折曲されて端部片４２２が形成されているが、樹脂３との固着が強くなれば、任意の方向に折曲されていてもよい。また、突出部４２が板状体からなっているが、これに限定されるものではなく、例えば、実施の形態１にかかる突出部４２であってもよい。
＜実施の形態６＞
この実施の形態６にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００３５】
電気部品１は、図６（ａ）に示すように、開口２１を有する本体ケース２と、この本体ケース２内に充填された樹脂３と、開口２１を覆い本体ケース２内を密封状態にする封口蓋４とから構成されている。
【００３６】
封口蓋４には、図６（ｂ）に示すように、本体ケース２内に向けてその表面４１から垂直に突出する突出部４２が設けられている。この突出部４２は板状体からなり、その突出側端部４２１に突出方向（Ａ方向）に対して垂直方向に向けて端部片４２２が形成されている。
【００３７】
このように突出部４２が板状体からなることで、樹脂３と固着する面積が大きくなり、固着する面積が拡大した分、突出部４２を樹脂３とより強く固着することができる。さらに、突出部４２の突出側端部４２１に、Ａ方向に対して垂直方向に向けて端部片４２２が形成されているので、突出部４２の樹脂３への固着が、端部片４２２を設けた分、三次元的に強化され、突出部４２を樹脂３と固着するのにより好ましい。
＜実施の形態７＞
この実施の形態７にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００３８】
電気部品１は、図７（ａ）に示すように、開口２１を有する本体ケース２と、この本体ケース２内に充填された樹脂３と、開口２１を覆い本体ケース２内を密封状態にする封口蓋４とから構成されている。
【００３９】
封口蓋４には、図７（ｂ）に示すように、本体ケース２内に向けてその表面４１から垂直に突出する突出部４２が設けられている。この突出部４２は板状体からなり、その突出側端部４２１に突出方向（Ａ方向）に対して垂直方向に向けて端部片４２２が形成されている。また、端部片４２２には、図７（ｂ）に一部示すように、両辺に２個ずつ切り欠き部が形成されている。
【００４０】
このように突出部４２が板状体からなることで、樹脂３と固着する面積が大きくなり、固着する面積が拡大した分、突出部４２を樹脂３とより強く固着することができる。さらに、突出部４２の突出側端部４２１に、Ａ方向に対して垂直方向に向けて端部片４２２が形成されているので、突出部４２の樹脂３への固着が、切り欠き部４２３が形成された端部片４２２を設けた分、三次元的に強化され、突出部４２を樹脂３と固着するのにより好ましい。
【００４１】
なお、本実施の形態７では、４個の切り欠き部４２３が形成されているが、これに限定されるものではなく、切り欠き部の個数を任意に設定してよい。また、切り欠き部４２３の形成位置は図７（ｂ）に示す位置に限らず、任意の位置に形成してもよい。
＜実施の形態８＞
この実施の形態７にかかる電気部品１は、上記実施の形態１にかかる電気部品１と、封口蓋に設けられた突出部の形状が異なるだけであり、他の構成は同じである。したがって、実施の形態１と同様の構成には同一の符号を付し、その説明を省略する。
【００４２】
電気部品１は、図８（ａ）に示すように、開口２１を有する本体ケース２と、この本体ケース２内に充填された樹脂３と、開口２１を覆い本体ケース２内を密封状態にする封口蓋４とから構成されている。
【００４３】
封口蓋４には、図８（ｂ）に示すように、本体ケース２内に向けてその表面４１から垂直に突出する突出部４２が設けられている。この突出部４２は板状体からなり、その突出側端部４２１に突出方向（Ａ方向）に対して鈍角方向に向けて端部片４２２が形成されている。
【００４４】
このように突出部４２が板状体からなることで、樹脂３と固着する面積が大きくなり、固着する面積が拡大した分、突出部４２を樹脂３とより強く固着することができる。さらに、突出部４２の突出側端部４２１に、Ａ方向に対して鈍角方向に向けて端部片４２２が形成されているので、突出部４２の樹脂３への固着が、鈍角方向に向けて端部片４２２を形成した分、三次元的に強化され、突出部４２を樹脂３と固着するのにより好ましい。
【００４５】
なお、本実施の形態８では、突出側端部４２１にＡ方向に対して鈍角方向に向けて端部片４２２が形成されているが、これに限定されるものではなく、樹脂３との固着が強くなれば、突出方向と任意の角度を有してもよい。
【００４６】
なお、上記したように、本発明の実施の形態に記載されている構成部材の材質、形状、その相対配置等は、特定的な記載がない限り本発明をそれらのみに限定する趣旨のものではなく、単なる説明例に過ぎない。
【００４７】
【発明の効果】
以上、説明したように、本発明にかかる電気部品の封口構造によれば、本体ケースの形状や材質に関係なく、封口蓋を本体ケースに容易に強く固着するとともに、封口蓋の固着により本体ケースが変形するのを防止することができる。
【００４８】
すなわち、封口蓋に、開口を覆った状態で封口蓋から本体ケース内に向けて突出する突出部が設けられ、この突起部が充填された樹脂に固着されることで封口蓋が本体ケースに固着されるので、封口蓋で本体ケースの開口を覆うだけで封口蓋を本体ケースに容易に強く固着することができ、また、封口蓋を本体ケースに直接固着しないので、封口蓋の固着により本体ケースが変形するのを防止することができる。
【図面の簡単な説明】
【図１】（ａ）は、本発明の実施の形態１にかかる電気部品の概略構成図であり、（ｂ）は、本発明の実施の形態１にかかる電気部品に用いる封口蓋の斜視図である。
【図２】（ａ）は、本発明の実施の形態２にかかる電気部品の概略構成図であり、（ｂ）は、本発明の実施の形態２にかかる電気部品に用いる封口蓋の斜視図である。
【図３】（ａ）は、本発明の実施の形態３にかかる電気部品の概略構成図であり、（ｂ）は、本発明の実施の形態３にかかる電気部品に用いる封口蓋の斜視図である。
【図４】（ａ）は、本発明の実施の形態４にかかる電気部品の概略構成図であり、（ｂ）は、本発明の実施の形態４にかかる電気部品に用いる封口蓋の斜視図である。
【図５】（ａ）は、本発明の実施の形態５にかかる電気部品の概略構成図であり、（ｂ）は、本発明の実施の形態５にかかる電気部品に用いる封口蓋の斜視図である。
【図６】（ａ）は、本発明の実施の形態６にかかる電気部品の概略構成図であり、（ｂ）は、本発明の実施の形態６にかかる電気部品に用いる封口蓋の斜視図である。
【図７】（ａ）は、本発明の実施の形態７にかかる電気部品の概略構成図であり、（ｂ）は、本発明の実施の形態７にかかる電気部品に用いる封口蓋の斜視図である。
【図８】（ａ）は、本発明の実施の形態８にかかる電気部品の概略構成図であり、（ｂ）は、本発明の実施の形態８にかかる電気部品に用いる封口蓋の斜視図である。
【図９】従来の電気部品の概略構成図である。
【符号の説明】
１　電気部品
２　本体ケース
２１　開口
３　樹脂
４　封口蓋
４２　突出部
４２１　突出側端部
４２２　端部片
４２３　切り欠き部
【図１】
2004014790.tif 000003
【図２】
2004014790.tif 000004
【図３】
2004014790.tif 000005
【図４】
2004014790.tif 000006
【図５】
2004014790.tif 000007
【図６】
2004014790.tif 000008
【図７】
2004014790.tif 000009
【図８】
2004014790.tif 000010
【図９】
2004014790.tif 000011